(57)【要約】【課題】精算端末にカゴ置き台を取り付ける際の作業性を向上させる。【解決手段】カゴ置き台は、上面に買い物カゴが置かれるテーブル部と、精算端末に取り付けられる取り付け具とを備える。取り付け具は、テーブル部の底面に取り付けられたテーブル取り付け部と、テーブル取り付け部の上方に突出し、精算端末の側面に取り付けられる端末取り付け部とを含む。【選択図】図１２
2020069039.tif 000002
【特許請求の範囲】
【請求項１】
上面に買い物カゴが置かれるテーブル部と、精算端末に取り付けられる取り付け具とを備えたカゴ置き台であって、
前記取り付け具は、
前記テーブル部の底面に取り付けられたテーブル取り付け部と、
前記テーブル取り付け部の上方に突出し、前記精算端末の側面に取り付けられる端末取り付け部とを含む、
ことを特徴とするカゴ置き台。
【請求項２】
前記テーブル部は、
前記端末取り付け部の少なくとも一部を覆う凸部を含む
ことを特徴とする請求項１記載のカゴ置き台。
【請求項３】
前記テーブル部は、
前記テーブル取り付け部を覆う平面部を含み、
前記平面部と前記凸部とは、着脱可能である
ことを特徴とする請求項２記載のカゴ置き台。
【請求項４】
前記テーブル部は、
前記テーブル取り付け部を覆う平面部を含み、
前記凸部は、
前記平面部の辺のうち、前記精算端末の側面に対向する辺に沿って形成され、
前記凸部の前記辺の方向の長さは、前記辺より短い
ことを特徴とする請求項２または請求項３に記載のカゴ置き台。
【請求項５】
上面に買い物カゴが置かれるテーブル部と、精算端末に取り付けられる取り付け具とを含むカゴ置き台と、前記カゴ置き台が取り付けられた前記精算端末とを備えたチェックアウトシステムであって、
前記取り付け具は、
前記テーブル部の底面に取り付けられるテーブル取り付け部と、
前記テーブル取り付け部の上方に突出し、前記精算端末の側面に取り付けられる端末取り付け部とを含む、
ことを特徴とするチェックアウトシステム。
【発明の詳細な説明】
【技術分野】
【０００１】
本発明は、カゴ置き台およびチェックアウトシステムに関する。
【背景技術】
【０００２】
近年、流通店舗（例えば、スーパーマーケット等）において、買い物客自身が精算を行うセルフ精算システムが用いられている。セルフ精算システムとして、買い物客が購入した商品のスキャンと精算を行うセルフチェックアウトシステム（ＳＣＯ：Self Check Out System)、および、商品のスキャンを店員が行い精算を買い物客自身が行うセルフペイメントシステム（ＳＰＳ：Self Payment System）が用いられている。セルフ精算システムに用いられる精算端末は、買い物客が精算する際に購入商品が入ったカゴを一時的に置くためのカゴ置き台が端末本体に付帯する。
【０００３】
関連する技術として、商品を入れた買い物籠を載置する買い物籠台を備えたチェックアウトシステムが提案されている（例えば、特許文献１を参照）。
【０００４】
また、関連する技術として、チェックアウト用のカウンタ本体の一側方に籠置き台を昇降自在に設けたチェックアウトカウンタが提案されている（例えば、特許文献２を参照）。
【０００５】
また、関連する技術として、買い物籠を載せるための台が側面に設けられたセルフチェックアウト装置が提案されている（例えば、特許文献３を参照）。
【先行技術文献】
【特許文献】
【０００６】
【特許文献１】特開２００６−３４４０７１号公報
【特許文献２】特開２００９−２８２７９２号公報
【特許文献３】特開２０１８−１３３０４９号公報
【発明の概要】
【発明が解決しようとする課題】
【０００７】
カゴ置き台は、例えば、カゴが置かれるテーブル面と、セルフ精算端末の側面にカゴ置き台を取り付けるための取り付け部分を含み、取り付け部分が、テーブル面の下部に突出している構成が考えられる。しかし、取り付け部分が、テーブル面の下部に突出していると、取り付け作業者がカゴ置き台を取り付ける際の作業性が悪いという課題がある。
【０００８】
１つの側面として、本発明は、精算端末にカゴ置き台を取り付ける際の作業性を向上することを目的とする。
【課題を解決するための手段】
【０００９】
１つの態様では、カゴ置き台は、上面に買い物カゴが置かれるテーブル部と、精算端末に取り付けられる取り付け具とを備える。前記取り付け具は、前記テーブル部の底面に取り付けられたテーブル取り付け部と、前記テーブル取り付け部の上方に突出し、前記精算端末の側面に取り付けられる端末取り付け部とを含む。
【００１０】
別の態様では、チェックアウトシステムは、上面に買い物カゴが置かれるテーブル部と、精算端末に取り付けられる取り付け具とを含むカゴ置き台と、前記カゴ置き台が取り付けられた前記精算端末とを備える。前記取り付け具は、前記テーブル部の底面に取り付けられるテーブル取り付け部と、前記テーブル取り付け部の上方に突出し、前記精算端末の側面に取り付けられる端末取り付け部とを含む。
【発明の効果】
【００１１】
１つの側面によれば、カゴ置き台を取り付ける際の作業性を向上することができる。
【図面の簡単な説明】
【００１２】
【図１】比較例における、ＳＣＯの精算端末にカゴ置き台が取り付けられた構成を示す図である。
【図２】比較例における、ＳＰＳの精算端末にカゴ置き台が取り付けられた構成を示す図である。
【図３】比較例における、ＳＰＳの精算端末の筐体両側面に付け代え可能なカゴ置き台が取り付けられた構成を示す図である。
【図４】比較例における、ＳＰＳの精算端末の側面に取り付け位置が変更可能なカゴ置き台が取り付けられた構成を示す図である。
【図５】比較例における、カゴ置き台の分解図である。
【図６】比較例における、ＳＰＳの精算端末の側面にカゴ置き台が取り付けられた構成の斜め下からの斜視図である。
【図７】比較例における、カートをカゴ置き台に横付けした状態を示す図である。
【図８】比較例における、下段にカゴが置かれたカートをカゴ置き台に横付けした状態を示す図である。
【図９】比較例における、シートおよびガードレールが使用された構成を示す斜視図である。
【図１０】比較例における、シートおよびガードレールが使用された構成を示す側面図である。
【図１１】比較例における、シートおよびガードレールが使用された構成を示す正面図である。
【図１２】第１の実施形態におけるカゴ置き台の分解図である。
【図１３】第１の実施形態におけるチェックアウトシステムのカゴ置き台周辺の拡大図である。
【図１４】第１の実施形態におけるチェックアウトシステムを示す斜視図である。
【図１５】第１の実施形態におけるチェックアウトシステムを示す正面図である。
【図１６】第２の実施形態におけるカゴ置き台を示す図である。
【図１７】第３の実施形態におけるカゴ置き台を示す図である。
【発明を実施するための形態】
【００１３】
＜比較例＞
以下、実施形態におけるカゴ置き台および精算端末との比較例について説明する。図１は、比較例における、ＳＣＯの精算端末２ａにカゴ置き台１が取り付けられた構成を示す図である。図１に示すＳＣＯの精算端末２ａは、精算端末２ａの筐体側面に、買い物客がカゴを置くためのカゴ置き台１が取り付けられている。図１に示す精算端末２ａを用いた場合、買い物客は、カゴ置き台１に買い物カゴを置いた状態で、購入した商品のバーコードをスキャンする。そして、買い物客は、スキャンが完了して袋詰めした商品をカゴ置きテーブル４に置いた状態で、精算を行うことができる。
【００１４】
図２は、比較例における、ＳＰＳの精算端末２ｂにカゴ置き台１が取り付けられた構成を示す図である。図２に示すＳＰＳの精算端末２ｂは、精算端末２ｂの筐体側面に、買い物客がカゴを置くためのカゴ置き台１が取り付けられている。図２に示す精算端末２ｂを用いた場合、買い物客は、店員がスキャンした商品を買い物カゴに入れてカゴ置き台１に置き、自分で商品の精算を行うことができる。
【００１５】
図３は、比較例における、ＳＰＳの精算端末２ｃの筐体両側面に付け代え可能なカゴ置き台１が取り付けられた構成を示す図である。例えば、精算端末２ｃの筐体両側面にカゴ置き台１の取り付けに用いるネジ穴が形成されているとする。取り付け作業者は、店舗内のレイアウト等に応じて、どちらの側面にカゴ置き台１を取り付けるかを選択し、取り付け作業を実施することができる。
【００１６】
図４は、比較例における、ＳＰＳの精算端末２ｄの側面に取り付け位置が変更可能なカゴ置き台１が取り付けられた構成を示す図である。例えば、ＳＰＳの精算端末２ｄの筐体側面に床からの高さが異なる複数のネジ穴が形成されている。そのため、カゴ置き台１をいずれかのネジ穴にネジ止めした場合、カゴ置き台１のネジ止めに用いたネジ穴の高さに応じて、カゴ置き台１の高さが異なる。
【００１７】
図４の精算端末２ｄを用いた場合、取り付け作業者は、例えば、店舗に用いられるカートの高さや計器等の位置に応じて、カゴ置き台１の高さを変更する。例えば、カートに接触しないようにカゴ置き台１の高さを調節することにより、買い物客は、カートの上段と下段の間にカゴ置き台１が挟まるようにカートを差し込むことができる。すなわち、図４に示す精算端末２ｄを用いた場合、買い物客は、カートを精算端末２ｄの側面におけるカゴ置き台１の設置位置に差し込んだ状態で、カゴをカートから降ろさずに精算を行うことができる。
【００１８】
なお、以下の説明において、精算端末２ａ、２ｂ、２ｃ、２ｄを区別しない場合、精算端末２と称する。すなわち、以下の説明における精算端末２として精算端末２ａ、２ｂ、２ｃ、２ｄのいずれかが適用される。
【００１９】
図５は、比較例における、カゴ置き台１の分解図である。カゴ置き台１は、上面に買い物カゴが置かれるテーブル部１１と、カゴ置き台１を精算端末２に取り付けるための取り付け具１２とを含む。取り付け具１２は、テーブル部１１の底面に取り付けられる平面形状のテーブル取り付け部１２ａと、精算端末２に取り付けられる端末取り付け部１２ｂとを含む。なお、図５では、端末取り付け部１２ｂの形状を分かりやすくするため、端末取り付け部１２ｂのうちのテーブル取り付け部１２ａによって隠れている部分も示している。端末取り付け部１２ｂは、テーブル取り付け部１２ａの下方に突出し、精算端末２の側面に取り付けられる。端末取り付け部１２ｂは、ネジ穴が形成されており、端末取り付け部１２ｂを精算端末２の筐体側面にネジ止めすることによりカゴ置き台１全体が精算端末２に取り付けられる。
【００２０】
図６は、比較例における、ＳＰＳの精算端末２ｄの側面にカゴ置き台１が取り付けられた構成の斜め下からの斜視図である。図６に示すように、端末取り付け部１２ｂは、テーブル取り付け部１２ａの下方に突出している。このため、取り付け作業者は、端末取り付け部１２ｂを精算端末２に取り付ける際に、カゴ置き台１の下にかがんで作業を行うことになり作業性が悪い。
【００２１】
図７は、比較例における、カート２１をカゴ置き台１に横付けした状態を示す図である。図７に示すように、買い物客はカート２１の上段に買い物カゴ２２を乗せて買い物をした場合、カート２１の上段と下段の間にカゴ置き台１が挟まる位置にカート２１を移動させることにより、カート２１を精算端末２に横付けする。これにより、買い物客は、買い物カゴ２２をカート２１から降ろさなくても、精算を行うことができる。
【００２２】
図８は、比較例における、下段にカゴが置かれたカート２１をカゴ置き台１に横付けした状態を示す図である。図８に示す例では、カート２１の下段に荷物２３が入った買い物カゴ２２が置かれている。上述したようにカゴ置き台１は、取り付け具１２の端末取り付け部１２ｂが、テーブル取り付け部１２ａの下部に突出しているため、買い物カゴ２２または荷物２３が端末取り付け部１２ｂに接触するおそれがある。そして、カート２１の移動が妨げられたり、精算端末２の筐体が損傷するおそれがある。
【００２３】
図９は、比較例における、シート３１およびガードレール３２が使用された構成を示す斜視図である。図１０は、比較例における、シート３１およびガードレール３２が使用された構成を示す側面図である。図１１は、比較例における、シート３１およびガードレール３２が使用された構成を示す正面図である。
【００２４】
図９〜図１１に示すように、シート３１は、精算端末２の側面であってカゴ置き台１の上方に貼り付けられている。シート３１を精算端末２の側面に貼ることにより、カゴ置き台１の上に買い物カゴ２２が乗せられた場合に、買い物カゴ２２が精算端末２の筐体に接触することを防ぎ、精算端末２の筐体が損傷することを防ぐことができる。
【００２５】
また、ガードレール３２は、カゴ置き台１の上部（テーブル部１１の上面）であって精算端末２の近傍に、精算端末２の側面と略平行となるように取り付けられている。ガードレール３２を用いることにより、カゴ置き台１の上に買い物カゴ２２が乗せられた場合に、買い物カゴ２２と精算端末２との間にガードレール３２が位置することとなる。これにより、買い物カゴ２２が精算端末２の筐体に接触することを防ぎ、精算端末２の筐体が損傷することを防ぐことができる。
【００２６】
なお、図９〜図１１では、シート３１とガードレール３２の両方が使用されているが、シート３１とガードレール３２のいずれか一方が使用されてもよい。シート３１は、ガードレール３２と比べて安価であるが、カゴ置き台１の高さや取り付ける面（精算端末２の側面のいずれか）を変更した場合に、貼り変える必要がある。ガードレール３２は、買い物カゴ２２が引っかからないように安全性を考慮する必要がある。
【００２７】
＜第１の実施形態＞
以下、図面を参照して、第１の実施形態について説明する。図１２は、第１の実施形態におけるカゴ置き台３の分解図である。カゴ置き台３は、上面に買い物カゴが置かれるテーブル部１３と、カゴ置き台３を精算端末２に取り付けるための取り付け具１４とを含む。
【００２８】
テーブル部１３は、平面部１３ａと、凸部１３ｂとを含む。平面部１３ａは、矩形の平面形状であり、上面に買い物カゴが置かれる。凸部１３ｂは、平面部１３ａの上部に、平面部１３ａの法線方向に突出するように設けられ、平面部１３ａの辺のうちの１辺に沿って形成される。凸部１３ｂが形成される辺は、カゴ置き台３が精算端末２に取り付けられた際に精算端末２の側面に対向する辺である。
【００２９】
取り付け具１４は、テーブル部１３の底面に取り付けられる、矩形の平面形状のテーブル取り付け部１４ａを含む。また、取り付け具１４は、テーブル取り付け部１４ａの上方（平面部１３ａの法線方向）に突出し、精算端末２の側面に取り付けられる端末取り付け部１４ｂとを含む。また、端末取り付け部１４ｂは、正面視においてＬ字形状となっており、Ｌ字の一方の辺が精算端末２の側面に取り付けられ、他方の辺がテーブル取り付け部１４ａに接合されている。テーブル取り付け部１４ａと端末取り付け部１４ｂは、一体成型であってもよいし、ネジ止め等で取り付けられていてもよい。
【００３０】
テーブル部１３の平面部１３ａにテーブル取り付け部１４ａがネジ止めまたは接着されることにより、取り付け具１４がテーブル部１３に取り付けられ、カゴ置き台３が形成される。平面部１３ａとテーブル取り付け部１４ａとの取り付け方法は、フック形状を利用したスナップフィットであってもよい。例えば、平面部１３ａの下部の縁がフック形状となっており、平面部１３ａのフック形状の縁をテーブル取り付け部１４ａの縁に引っ掛けることにより、平面部１３ａにテーブル取り付け部１４ａを取り付けてもよい。
【００３１】
取り付け具１４がテーブル部１３に取り付けられた状態において、平面部１３ａは、テーブル取り付け部１４ａを覆い、凸部１３ｂは、端末取り付け部１４ｂの少なくとも一部を覆う。凸部１３ｂは、例えば、端末取り付け部１４ｂのうち平面部１３ａより上方に突出する部分を覆う。
【００３２】
以上のように、テーブル部１３は、取り付け具１４に取り付けられた状態において、取り付け具１４のカバーとしても機能する。なお、テーブル部１３の材料は、例えば、樹脂、ステンレス等の金属、または表面を化粧板で覆った合板の木材等であるが、他の材料が用いられてもよい。取り付け具１４は、例えば、金属製であるが、他の材料（商品が乗ったカゴを乗せても耐えられる強度を有する材料）が用いられてもよい。
【００３３】
図１３は、第１の実施形態におけるチェックアウトシステムのカゴ置き台３周辺の拡大図である。なお、第１の実施形態におけるチェックアウトシステムの精算端末２には、例えば、図１〜図４に示した精算端末２ａ〜２ｄのいずれかが適用される。図１３では、カゴ置き台３が透視図として表されている。図１３に示すように、カゴ置き台３は、取り付け具１４がテーブル部１３に取り付けられた状態で、精算端末２に取り付けられる。カゴ置き台３は、例えば、端末取り付け部１４ｂを精算端末２にネジ止めまたは接着することにより、精算端末２に取り付けられる。
【００３４】
図１４は、第１の実施形態におけるチェックアウトシステムを示す斜視図である。図１５は、第１の実施形態におけるチェックアウトシステムを示す正面図である。上述のようにテーブル部１３が取り付け具１４の上部を覆っているため、図１４に示すように、取り付け具１４が上方から（買い物客から）見えない構成となっている。よって、買い物客が精算端末２を利用する際に、買い物カゴ２２や荷物２３が取り付け具１４に接触して損傷することを防ぐことができる。
【００３５】
図１５には、カゴ置き台３の上に買い物カゴ２２が置かれた状態を正面視で示している。図１５に示すように、カゴ置き台３の上に買い物カゴ２２が置かれた場合、買い物カゴ２２と精算端末２との間にテーブル部１３の凸部１３ｂが位置することになる。そして、凸部１３ｂがガードレールとして機能するため、買い物カゴ２２が精算端末２に接触し、精算端末２の筐体が損傷することを防ぐことができる。凸部１３ｂは、端末取り付け部１４ｂのカバーを兼ねるため、余分な部品を追加せずに精算端末２の筐体の損傷を防ぐことができる。
【００３６】
また、買い物カゴ２２と精算端末２の側面との間に空間５が存在し、空間５の中にカゴ置き台３の凸部１３ｂが存在する。空間５は、デッドスペースであるため、カゴ置き台３は、空間を有効利用することができる。また、凸部１３ｂは、正面視において、下部が太く上部が細いテーパー状となっている。買い物カゴ２２は、上端部の開口領域が下端部の底面領域よりも広いテーパー状となっていることが多いため、凸部１３ｂは、買い物カゴ２２と沿った形状となっている。
【００３７】
以上のように、第１の実施形態におけるカゴ置き台３は、端末取り付け部１４ｂがテーブル取り付け部１４ａの上方に突出している。よって、取り付け作業者がカゴ置き台３の下にかがんで作業しなくてもよいため、作業性が向上する。また、本実施形態におけるカゴ置き台３を用いた場合、カート２１の下段に荷物２３が入った買い物カゴ２２が置かれていた場合であっても、買い物カゴ２２または荷物２３が損傷することを防ぐことができる。
【００３８】
なお、カゴ置き台３は、買い物客が精算を行うＳＣＯまたはＳＰＳに適用されるが、店員が精算を行うチェックアウトシステムに適用されてもよい。
【００３９】
＜第２の実施形態＞
以下、図面を参照して、第２の実施形態について説明する。なお、第１の実施形態と同様の構成および機能については、説明を省略する。
【００４０】
図１６は、第２の実施形態におけるカゴ置き台６を示す図である。カゴ置き台６は、上面に買い物カゴが置かれるテーブル部１５と、精算端末２に取り付けられる取り付け具１４とを含む。
【００４１】
テーブル部１５は、平面部１５ａと、凸部１５ｂとを含む。平面部１５ａは、矩形の平面形状であり、上面に買い物カゴが置かれる。凸部１５ｂは、平面部１５ａの上部に、平面部１５ａの法線方向に突出するように設けられ、平面部１５ａの辺のうちの１辺（Ａ）に沿って形成される。凸部１５ｂ形成される辺Ａは、カゴ置き台６が精算端末２に取り付けられた際に精算端末２の側面に対向する辺である。
【００４２】
図１６に示すように、凸部１５ｂは、平面部１５ａの辺のうちの辺Ａに沿って形成され、凸部１５ｂの辺Ａ方向の長さＢは、辺Ａの長さより短い。なお、凸部１５ｂの辺Ａ方向の内寸の長さは、端末取り付け部１４ｂの辺Ａ方向の長さＣより長い。すなわち、凸部１５ｂは、少なくとも端末取り付け部１４ｂを覆うことが可能であるとする。
【００４３】
精算端末２に取り付けられる取り付け具１４は、第１の実施形態の取り付け具１４と同じである。すなわち、図１６の取り付け部１４は、テーブル取り付け部１４ａがテーブル部１５の底面に取り付けられ、端末取り付け部１４ｂが精算端末２に取り付けられる。
【００４４】
第２の実施形態のカゴ置き台６は、凸部１５ｂの長さが短いため、少ない材料で製造を行うことができる。また、第１の実施形態のカゴ置き台３と同様に、端末取り付け部１４ｂがテーブル取り付け部１４ａの上方に突出しているので、取り付け作業者がカゴ置き台６の下にかがんで作業しなくてもよいため、作業性が向上する。また、カート２１の下段に荷物２３が入った買い物カゴ２２が置かれていた場合であっても、精算端末２の筐体が損傷することを防ぐことができる。
【００４５】
＜第３の実施形態＞
以下、図面を参照して、第３の実施形態について説明する。なお、第１の実施形態と同様の構成および機能については、説明を省略する。図１７は、第３の実施形態におけるカゴ置き台７を示す図である。第３の実施形態では、テーブル取り付け部１４ａを覆う平面部１６ａと、端末取り付け部１４ｂを覆う凸部１６ｂとは着脱可能であるとする。
【００４６】
平面部１６ａと凸部１６ｂとが分離可能でなかった場合、テーブル部１６を取り付け具１４に取り付けると、端末取り付け部１４ｂが覆われるため、端末取り付け部１４ｂを精算端末２にネジ止めすることが困難である。よって、取り付け具１４を精算端末２に取り付けた後に、テーブル部１６を取り付け具１４に取り付けることが考えられる。その場合、テーブル部１６を取り付け具１４に取り付ける際の作業性が悪くなる。
【００４７】
しかし、第３の実施形態におけるカゴ置き台７は、凸部１６ｂと平面部１６ａとが着脱可能であるため、平面部１６ａのみを予め取り付け具１４に取り付けた状態で、取り付け具１４を精算端末２に取り付けることが可能である。そして、取り付け具１４を精算端末２に取り付けた後に、凸部１６ｂが平面部１６ａに取り付けられる。凸部１６ｂと平面部１６ａとの取り付け方法には、例えば、フック形状を利用したスナップフィットが適用される。スナップフィットを適用する場合、平面部１６ａの縁１６ｃと凸部１６ｂの縁１６ｄとがフック形状となっており、縁１６ｃと縁１６ｄとを引っ掛けることにより凸部１６ｂが平面部１６ａに取り付けられる。
【００４８】
なお、図１６のカゴ置き台７のテーブル部１６では、第２の実施形態と同様に、凸部１６ｂの辺の長さは、平面部１６ａの辺の長さより短いが、第１の実施形態と同様に、凸部１６ｂの辺の長さは、平面部１６ａの辺の長さと同じであってもよい。すなわち、第３の実施形態におけるカゴ置き台７のテーブル部は、図１２等に示したテーブル部１３の平面部１３ａと凸部１３ｂとを着脱可能としたものであってもよい。
【００４９】
以上のように、第３の実施形態では、テーブル部１６の平面部１６ａと凸部１６ｂとが着脱可能であるため、精算端末２に取り付け具１４を取り付ける前に、平面部１６ａを取り付け具１４に取り付けておくことができる。そして、精算端末２に取り付け具１４を取り付けた後に、凸部１６ｂのみを平面部１６ａに取り付ければよいため、取り付け作業を容易にすることができる。
【００５０】
各実施形態は、以上に述べた実施の形態に限定されるものではなく、各実施形態の要旨を逸脱しない範囲内で様々な変更、追加、省略が適用可能である。
【符号の説明】
【００５１】
１，３，６，７    カゴ置き台
２，２ａ，２ｂ，２ｃ，２ｄ    精算端末
４    カゴ置きテーブル
１１，１３，１５，１６    テーブル部
１２，１４    取り付け具
１２ａ，１４ａ  テーブル取り付け部
１２ｂ，１４ｂ  端末取り付け部
１３ａ，１５ａ，１６ａ  平面部
１３ｂ，１５ｂ，１６ｂ  凸部
２１    カート
２２    買い物カゴ
２３    荷物
３１    シート
３２    ガードレール
【図１】
2020069039.tif 000003
【図２】
2020069039.tif 000004
【図３】
2020069039.tif 000005
【図４】
2020069039.tif 000006
【図５】
2020069039.tif 000007
【図６】
2020069039.tif 000008
【図７】
2020069039.tif 000009
【図８】
2020069039.tif 000010
【図９】
2020069039.tif 000011
【図１０】
2020069039.tif 000012
【図１１】
2020069039.tif 000013
【図１２】
2020069039.tif 000014
【図１３】
2020069039.tif 000015
【図１４】
2020069039.tif 000016
【図１５】
2020069039.tif 000017
【図１６】
2020069039.tif 000018
【図１７】
2020069039.tif 000019